(57)【要約】【課題】  アイゼンを装着した登山において、一方の足の靴に装着するアイゼンの固定紐などに、他方の足の靴に装着したアイゼンを引っ掛けて不測の事故が発生するのを防止する安全カバーを提供する。【解決手段】  一枚の硬質合成樹脂板や金属板、皮革といった、低温下において強度を有する板材によって靴の腰部を覆うべく湾曲させた背面部２と靴の内側面を覆うカバー部３を連続させてカバー本体１を形成する。そして、カバー本体１の背面部２とカバー部３前端との間に靴の前方を迂回させてカバー本体１を靴に固定するための固定紐４,５を備えるとともに、カバー部３下端から靴の底面を迂回させて前記固定紐４,５などに係止させる係止紐６を備えるなど、しっかりと固定する。これにより、一方の足に履いた靴に装着したアイゼンの爪が、他方の足に履いた靴の靴紐やアイゼンを装着するための紐に引っ掛かることを防止する。【選択図】  図１
2005224403.tif 000002
【特許請求の範囲】
【請求項１】
一枚の硬質合成樹板や皮革、金属板といった板材によって靴の腰部を覆うべく湾曲させた背面部と靴の内側面を覆うカバー部を連続させてカバー本体を形成し、該カバー本体にアイゼンを装着した状態の靴に取り付ける装着手段を備えたことを特徴とする登山用安全カバー。
【請求項２】
カバー本体を靴に取り付ける装着手段が、背面部とカバー部前端との間に靴の前方を迂回させてカバー本体を靴に固定するための固定手段を備えるとともに、カバー部下端から靴の底面を迂回させて前記固定手段もしくは靴に係止させる係止手段を備えるものである請求項１記載の登山靴用安全カバー。
【請求項３】
カバー本体の内面と該カバー本体の内面が対向する靴の一部もしくは靴の履き口を覆うべく装着するスパッツ表面に、両者を係合させる係止手段を設けたことを特徴とする請求項１又は２記載の登山靴用安全カバー。
【請求項４】
一枚の硬質合成樹板や皮革、金属板といった板材によって靴の腰部を覆うべく湾曲させた背面部と靴の内側面を覆うカバー部を連続させてカバー本体を形成し、該カバー本体の上端を靴の履き口を覆うべく装着するスパッツ表面に固定しておき、靴にアイゼンを装着した状態で靴の外表面を覆うことを特徴とする登山用安全カバー。
【発明の詳細な説明】
【技術分野】
【０００１】
この発明は、雪山や氷河あるいは条件の厳しい高山など、アイゼンを装着して使用する登山靴用の安全カバーに関する発明である。
【背景技術】
【０００２】
雪山や氷河、氷結した場所での登山には、滑りを防止するために、登山靴にアイゼンを装着するのが普通である。また、特許文献１に開示されるように、登山靴の履き口から雪や雨が浸入しないように、あるいは厳しい気象条件から登山者を保護するために、登山靴の上部から脚の脛部分を覆うスパッツを使用することも知られている。なお、主として運動用の靴には、特許文献２に開示されているように、靴紐が邪魔にならないように、靴紐の結び部分をカバー体によって覆うことも提案されている。
【特許文献１】特開２００３−２７５００１
【特許文献２】特開２００３−２０４８０７
【発明の開示】
【発明が解決しようとする課題】
【０００３】
アイゼンを着用した登山では、足が交差しないように１歩づつ着実に歩行することが原則であるが、時として一方の足の靴にアイゼンを装着するための紐などに、他方の足の靴に装着したアイゼンの爪を引っ掛けて、転倒などの事故が発生することがある。特に、危険な岩場や運動能力の低下する高山では、滑落などの重大事故の一因となっている。そして、このような一方の足に履いた靴のアイゼンを装着するための紐に、他方の足に履いた靴に装着したアイゼンの爪が引っ掛かるのを防止するといった安全対策は従来工夫されていないのが実情である。
【０００４】
上記従来技術の欠点に鑑み、本発明は一方の足に履いた靴の靴紐やアイゼンを装着するための紐に、他方の足に履いた靴に装着したアイゼンの爪が引っ掛かるのを防止する安全手段、具体的にはより効果的に安全を確保することができ、必要に応じて着脱が容易な登山靴用の安全カバーを提供することを目的とするものである。
【課題を解決するための手段】
【０００５】
上記目的を達成するため、本発明は一枚の硬質合成樹脂板や皮革、金属板といった板材によってカバー本体１を形成する。カバー本体を形成する板材は、アイゼン11を必要とするような低温下において、アイゼン11の爪11aが刺さるようなことがなく、衝撃によって破損しない強度を備えるものであれば、種々この材質を選定することができる。板材によって形成するカバー本体１は、靴７の腰部を覆うべく湾曲させた背面部２と、靴７の内側面を覆うカバー部３を連続させて形成する。そして、カバー本体１には、アイゼン11を装着した状態の靴７に、表面を覆うように取付けることができる装着手段を備える。
【０００６】
カバー本体１を靴７に取付ける装着手段は、カバー本体１がアイゼン11を装着した状態で靴７の表面を覆うとともに、歩行などに支障をきたさない程度に安定するものであればどのような方法であってもよい。一例として、背面部２とカバー部３前端との間に靴の前方を迂回させてカバー本体を靴に固定するための紐やベルト、その他の固定手段を備えるとともに、カバー部３の下端から靴７の底面を迂回させて前記紐などの固定手段もしくは靴７に係止させる係止手段、具体的には係止紐６を備える。
【０００７】
カバー本体１の内面には、カバー本体１の内面と対向する靴の一部や靴に装着するスパッツ10表面に、両者を係合させる係止手段、例えば相互に係合する面ファスナー８,９などを設けるのが好ましい。あるいは、カバー本体１の上端を靴７の履き口を覆うべく装着するスパッツ10の表面に固定しておき、カバー本体１を持ち上げた状態で靴７にアイゼン11装着し、カバー本体１を下ろして靴７の外表面を覆うようにすることもできる。この場合、カバー本体１はスパッツに取付けられた状態であるため、安全カバー付のスパッツとして取り扱うことになる。
【発明の効果】
【０００８】
請求項１記載の本発明に係る登山靴用安全カバーによれば、アイゼン11を装着した後に本発明に係る登山靴用カバーを装着することによって、アイゼン11を装着するための紐12や金具13のうち、足の内側部分をカバー本体１のカバー部３で覆うことができる。そのため、歩行時や登坂、登頂時に片方の足がもう片方の足に接近してぶつかるようなことがあっても、アイゼン11の爪は板材で形成した平面的なカバー本体１に当たり、アイゼン11を装着するための紐12や靴紐、金具13などを引っ掛けてしまうようなことがなく、安全を確保することができる。このとき、靴７の背面部分が背面部２によって抱持されるため、カバー本体１を安定させることができるとともに、背面部分に露出する紐などにアイゼン11の爪11aが引っかかるのを防止することができる。
【０００９】
請求項２記載の発明によれば、固定紐４，５などの固定手段と、係止紐６などの係止手段によってカバー本体１を装着しているため、靴７にカバー本体１をしっかりと安定良く装着することができる。請求項３記載の発明によれば、カバー本体１をカバー本体と対向する靴やスパッツ10に係止させることによって、カバー本体１をより一層安定させることができるとともに、より大きなカバー本体を安定よく装着することができ、歩行の妨げになるようなことがなく安全性を向上させることができる。
【００１０】
請求項４記載の発明によれば、カバー本体１がスパッツ10に固定されている結果、スパッツを装着する必要があるような悪条件下において、安全カバーを付け忘れるようなことがなく、また安全カバーの装着を簡略化することができる。さらに、カバー本体１の上端部分がスパッツ10に固定されている結果、ガタツキ易いカバー本体１をより一層安定させることができる。
【発明を実施するための最良の形態】
【００１１】
以下、本発明に係る登山靴用安全カバーの、好ましい実施形態を添付の図面に基づいて説明する。
図１は本発明に係る登山靴用安全カバーの一例を示す斜視図、図２は図１に示す登山靴用安全カバーの使用状態を示す登山靴の側面図、図３は登山靴用安全カバーの使用状態を示す登山靴の背面図である。
【００１２】
図１に示すカバー本体１は左足用の安全カバーを示し、右足用は図１に示す左足用とは対称形となる。図１に示す登山靴用安全カバーのカバー本体１は、ジュラルミンのような軽量の金属板あるいは硬質の合成樹脂板、皮革のように軽量で強度的に優れた板材、特にアイゼンを装着する必要があるような低温下において、アイゼンの爪によって破れる他、低温劣化によって割れることがないような材質のものを用いて製造すればよく、特に材質が限定されるものではない。カバー本体１は、靴７の腰部を後から囲うように湾曲させた背面部２と、靴の内側を覆うことができるカバー部３とて構成し、カバー部３は背面部２と連続する一枚の板材で形成する。
【００１３】
カバー本体１の背面部２は、靴の腰部に位置し、歩行などの邪魔にならないように、比較的背の低いものとする。背面部２の主要な機能は、カバー本体１を靴７にしっかりと抱持させるとともに、靴の背面に露出する紐などを覆うことである。一方、カバー部３は靴の内側面のほぼ全体を覆うことができるように比較的大きな平面とする。図示例のカバー本体１は、くるぶし近辺に達する平板とし、その上縁は背部に向けて下方に傾斜し、背面部の上縁に連続する形状としている。もっとも、カバー本体１のカバー部３は、靴を着用した足の内側を覆うことができる形状であればどのような形状であってもよく、例えば靴の外表面に沿うような立体的な曲面で形成することもできる。
【００１４】
カバー本体１は、図２に二点鎖線で示す如く、登山靴にアイゼン11を装着した状態で両足の靴に装着する。カバー本体１には、靴７にできるだけ簡単かつ確実に装着することができるように、カバー部３の前端と背面部２の前端にそれぞれ固定紐４，５を、カバー部３の下端部分に係止紐６をそれぞれ取付けている。上記、固定紐４,５及び係止紐６は、表面が面ファスナーである扁平な紐を採用している。この扁平な紐は、一方の面が雄の面ファスナー、他方の面が雌の面ファスナーとなっており、相互に着脱することができる。もっとも、一本の固定紐５を長寸法としておき、カバー部３の前端部分に直接係止させたり、カバー部３の前端部分に配置したバックルにような係止具によって固定することもできる。
【００１５】
アイゼン11を靴７に装着するには、図２に示すように紐12によってしっかりと縛り付けるのが一般的である。紐などによる装着方法は、種々の形状、方法のものが製品化されているが、どのようなアイゼンであってもアイゼン11を装着するための紐12や、紐12に取付けられている金具13が外部に露出していることは共通している。この状態で本発明に係る登山靴用安全カバーを装着すると、図２に二点鎖線で示すように、紐12や金具13の外表面全体を覆うことになる。靴７に登山靴用安全カバーを装着する具体的な方法は特に限定されるものではないが、図示実施形態においては、背面部２前端とカバー部３前端にそれぞれ表裏両面が雄、雌の面ファスナーである固定紐４,５を設けてあり、固定紐４,５を靴の履き口部分の前方を掛け渡し、面ファスナーで相互に係止させることによって容易に固定することができるようにしている。この固定紐４,５によってカバー本体を固定した状態では、カバー本体１が上方に妄動する可能性がある。そこで、カバー部３の下端縁部分に設けた係止紐６を、靴７の底面を通過させて反対側、すなわち靴の外側面に掛け渡し、靴の外側面部分で、例えば固定紐５に係止させる。これにより、装着した登山靴用安全カバーは、妄動することなくしっかりと装着される。固定紐４,５や係止紐６による係止手段に代えて、例えば靴の形状に沿った形状の係止具、その他任意の係止具を用いることも可能である。
いずれにしても、カバー本体１は、何らかの固定手段によってアイゼン11を装着した状態で靴の表面を覆うべく、安定的に固定することができるものであれば、その固定手段は任意の固定手段を採用することができる。
【００１６】
本発明に係る登山靴用安全カバーを装着した状態で歩行や登坂を行なった場合に、片方の足に履いた靴７に取付けたアイゼン11の爪1aが、もう片方の足に履いた靴７の背面や側面にぶつかるようなことがあっても、図３に矢印で示すように、アイゼン11の爪11aがカバー部３に当たり、カバー部３の表面を滑ることによって、アイゼン11の爪がアイゼン11を装着している紐12などに絡まるようなことがない。一方の靴に装着したアイゼン11の爪11aが、もう一方の靴の紐やアイゼンを装着するための紐に絡まるような事態は通常の歩行などでは発生しにくいが、特に急斜面で足場の悪い岩場の登頂時や、気象条件の厳しい極低温の冬山などでは、登山者の疲労などと相俟って事故が起こり易く、かつこのような場合は重大事故につながる可能性がある。したがって、本発明に係る登山靴用安全カバーは、特に気象条件や地形的な条件の悪い場合に使用すると効果的なものである。
【００１７】
図４は、本発明に係る登山靴用安全カバーの別の実施形態を示す斜視図であって、右足用のものを示している。この実施形態は、カバー本体１の内面と、カバー本体１内面が対向する靴７やスパッツ10との間に係止手段を設けたものである。具体的には、カバー本体１内面の複数位置に雄又は雌の面ファスナー８,８を配置した点において、図１に示す実施形態と相違する。カバー本体１の内面に配置した面ファスナー８,８は、図５に示すように靴７の履き口から雪や雨水が浸入するのを防止するために使用するスパッツ10の表面に、カバー本体１の内面に配置した面ファスナー８,８と係合する面ファスナー９，９を設けておき、両者を係合させて使用するものである。
【００１８】
カバー本体１とスパッツ10との係止手段として、面ファスナー以外にスナップなどの係止具を用いることも可能である。また図示実施形態においては、カバー本体１とスパッツ10を係合させるようにしているが、スパッツ10以外に靴７そのものに係止させることもできる。しかしながら、登山靴に装着するスパッツ10は、係止紐14でしっかりと安定させるとともに、柔軟性があるため使用者の動きを阻害することがなく、カバー本体１に不必要に大きな力が作用するようなことがないため、より安全に使用することができて好ましいものである。
【００１９】
図４に示す実施形態のように、カバー本体１を単に固定紐４,５などで固定するだけでなく、スパッツ10などに係合させておくことにより安定し、登山者の動きに対し違和感を与えることがなく安全である。図６は、カバー本体１の上端をスパッツ10に固定しておく実施形態を示すものである。この実施形態では、図６に二点鎖線で示すようにカバー本体１を持ち上げた状態で靴にアイゼン11を装着し、アイゼンを装着した後に実線で示す状態に戻し、靴やアイゼンの紐、固定部以外のスパッツ面に係止させるなどの手段によって固定する。いずれにしても、装着したカバー本体１は、しっかりと安定するのが望ましく、その固定手段は種々の公知の手段を採用することができる。
【００２０】
スパッツ10は、比較的柔軟な生地によって形成するのが一般的であるが、腰のある厚手の構造でより確実に足を保護するものが知られている。前記、カバー本体１をスパッツの表面に固定する実施形態は、カバー本体１を安定させる上で厚手のスパッツに採用するのが好ましい。腰の強い、丈夫なスパッツ表面にカバー本体１を固定する際に、図６に二点鎖線で示す状態に持ち上げるのが困難な場合は、カバー本体１の上端部分に柔軟部分を形成しておき、この柔軟部分で折り返すようにしてもよい。
【００２１】
図６に示すように、カバー本体１の上端をスパッツ表面に固定する場合、アイゼンを着脱するためにカバー本体を持ち上げる必要がある。したがって、カバー本体１上端の一部を直線的もしくは一点で固定するのが好ましい。いずれにしても、図６に実線で示す位置に戻したカバー本体１は、任意固定手段によって靴７やアイゼン11の一部、スパッツ10などに固定し、歩行の際妄動するのを防止する。
【００２２】
図６に示す実施形態は、カバー本体１をスパッツ10に固定しておき、スパッツを装着することによって必然的に安全カバーを装着するものであるが、アイゼン11、具体的にはアイゼンを装着する紐や係止具にカバー本体の一部を装着しておき、アイゼンを装着することによって必然的に安全カバーを装着するようにすることもできる。この場合、アイゼンを靴７に固定する係止手段によって、同時にカバー本体１を安定させることができるような固定方法、例えばカバー本体１内面の複数位置に、アイゼンを装着するための紐を係合させておくのが望ましい。
【００２３】
なお、本発明に係る登山靴用安全カバーは、特に高山における危険な岩登りの際などに利用するとより効果的である。その理由は、アイゼン11を装着したときの歩行として足が交差するような歩行を行なわないのが登山の原則であるが、冷静な判断ができなくなる高山あるいは不自由な姿勢が必要な岩場などでは、自分の一方の足に履いた靴に装着したアイゼンを、他方の足に履いた靴の靴紐やアイゼンを装着するための紐に引っ掛け、バランスを崩して滑落事故を起こすことが多いためである。
【図面の簡単な説明】
【００２４】
【図１】図１は本発明に係る登山靴用安全カバーの一例を示す斜視図、
【図２】図２は、図１に示す登山靴用安全カバーの使用状態を示す登山靴の側面図、
【図３】図３は、図１に示す登山靴用安全カバーの使用状態を示す登山靴の背面図、
【図４】図４は、別の実施形態を示す登山靴用安全カバーの一例を示す斜視図、
【図５】図５は、図４に示す登山靴用安全カバーの使用状態を示す登山靴の側面図である。
【図６】図６は、安全カバーをスパッツに固定する実施形態を示す一部縦断の背面図である。
【符号の説明】
【００２５】
１…カバー本体、  ２…背面部、  ３…カバー部、  ４，５…固定紐、  ６…係止紐、  ７…靴、  ８，９…面ファスナー、  10…スパッツ、  11…アイゼン、  11a…爪、  12…紐、  13…金具、  14…係止紐。
【図１】
2005224403.tif 000003
【図２】
2005224403.tif 000004
【図３】
2005224403.tif 000005
【図４】
2005224403.tif 000006
【図５】
2005224403.tif 000007
【図６】
2005224403.tif 000008